(57)【特許請求の範囲】
【請求項１】
複数の間伐材を並列配置し、各間伐材の表面に長手方向に沿って形成した溝に接続部材を嵌合して各間伐材を相互に接続してなる面構成体において、各間伐材に前記溝が、間伐材の曲がりや太さの変化・ばらつきや表面の凹凸をそのままに、所定の深さ以上を満足して位置できるよう当該間伐材に設定した仮想軸心から、半径方向に等距離の位置に溝底が位置するように複数の溝を形成し、隣接する間伐材の互いに対向する溝に所定幅の接続部材を嵌合し接続し、各間伐材に、その長手方向の同じ位置に表面からその表面に近い溝の一方の側面の位置に達する切欠凹部を設け、間伐材の並列配置方向に延びる横行部材を切欠凹部に配置し、横行部材と所要の間伐材とを固定したことを特徴とする間伐材を用いた面構成体。
【請求項２】
複数の間伐材を並列配置し、各間伐材の表面に長手方向に沿って形成した溝に接続部材を嵌合して各間伐材を相互に接続してなる面構成体において、各間伐材に前記溝が、間伐材の曲がりや太さの変化・ばらつきや表面の凹凸をそのままに、所定の深さ以上を満足して位置できるよう当該間伐材に設定した仮想軸心から、半径方向に等距離の位置に溝底が位置するように複数の溝を形成し、隣接する間伐材の互いに対向する溝に所定幅の接続部材を嵌合し接続し、各間伐材の長手方向の両端部又はその近傍に外面からその外面に近い溝の一方の側面の位置に達する切欠凹部を設け、間伐材の並列配置方向に延びる横行部材を切欠凹部に配置して横行部材と所要の間伐材とを固定し、所要の接続部材に両側の溝を接続する面に対して垂直方向に連結部を突設し、各間伐材の長手方向の中間部に間伐材の並列配置方向に延びる連結部材を配置して連結部に固定したことを特徴とする間伐材を用いた面構成体。
【発明の詳細な説明】
【技術分野】
【０００１】
本発明は、間伐材を用いた面構成体に関し、特に間伐材を用いてログハウス風の建築物の壁面や床面や屋根面などを構成できる間伐材を用いた面構成体に関するものである。なお、本明細書において、間伐材とは字義通りに間伐した間伐材だけでなく、同等の木材、すなわち主として、柱材や板材等として加工するのに適さない、比較的小径の木材であって、樹皮を除去したものや、場合によっては樹皮付きの木材を含むものである。
【背景技術】
【０００２】
近年、山林の保守が適切に行われていないことが、土砂崩れなどの災害の原因の一つであることが改めて認識されるようになっている。そのため、山林の間伐を行う必要性が強く認識されているが、大量の間伐材を経済的に成り立つように利用するシステムがないため、間伐を行う人件費を賄うことができず、その結果間伐が十分に行われていない山林が増え、間伐されてもそのまま放置されていることが多いという現実があり、間伐材の有効利用分野の開拓が要請されている。
【０００３】
そこで、間伐材を使用して建築用パネルを構成することが考えられている。すなわち、複数の間伐材の外周面に長手方向に沿って板状の接続材を嵌め込む溝を直径方向に一対設け、間伐材の溝に接続材を嵌め込むとともに接着剤や釘や木ねじにて固定し、次いでその接続材に次の間伐材の溝を嵌め込むとともにこの次の間伐材から接続材を貫通して先の間伐材まで達する釘や木ねじにて固定するという構成を繰り返すことで、複数の間伐材が並列配置されるとともに接続材にて相互に接続してなる建築用パネルが提案されている。さらに、この建築用パネルの間伐材配列方向の強度を確保するため、両端に雄ねじを形成した鉄筋やボルトを各間伐材を貫通させて配設し、両端の雄ねじにナットを螺合して両端間を締結固定したものが提案されている（例えば、特許文献１参照）。
【特許文献１】特開２００７−４００６８号公報
【発明の開示】
【発明が解決しようとする課題】
【０００４】
ところで、間伐材は曲がっていたり、太さが変化するとともに太さにばらつきがあり、また節などにより凹凸もあるため、上記特許文献１では間伐材の表面を削って直径をほぼ等しくしており、その上で外面から所定深さの溝を形成しているため、加工工数が多くなって手間とコストがかかるとともに、外面部分が削られることで耐久性が大幅に低下するという問題がある。
【０００５】
また、間伐材と接続材を接着剤や釘や木ねじにて固定し、さらに次の間伐材から接続材を貫通して先の間伐材まで達する釘や木ねじにて固定する接続作業に手間がかかり、しかもそのように接続しても間伐材の並列方向にパネルとしての強度を確保するのは困難であるという問題があり、またパネルを横断する方向に貫通する鉄筋やボルトにて締結する構成では、パネルの製造工数とコストがさらに大きくなってしまい、さらにこのパネルをログハウス等の建築物で使用する際には、さらに加工が必要になるという問題がある。
【０００６】
本発明は、上記従来の課題に鑑み、間伐材の加工工数が少なくて低コストにて構成できかつ耐久性の高い間伐材を用いた面構成体を提供することを目的とする。
【課題を解決するための手段】
【０００７】
本発明の間伐材を用いた面構成体は、複数の間伐材を並列配置し、各間伐材の表面に長手方向に沿って形成した溝に接続部材を嵌合して各間伐材を相互に接続してなる面構成体において、各間伐材に前記溝が、間伐材の曲がりや太さの変化・ばらつきや表面の凹凸をそのままで、所定の深さ以上を満足して位置できるよう公知の各種芯出し手法にて当該間伐材に設定した仮想軸心から、半径方向に等距離の位置に溝底が位置するように複数の溝を形成し、隣接する間伐材の互いに対向する溝に所定幅の接続部材を嵌合し接続し、
各間伐材に、その長手方向の同じ位置に表面からその表面に近い溝の一方の側面の位置に達する切欠凹部を設け、間伐材の並列配置方向に延びる横行部材を切欠凹部に配置し、横行部材と所要の間伐材とを固定され、
各間伐材の長手方向の両端部又はその近傍に外面からその外面に近い溝の一方の側面の位置に達する切欠凹部を設け、間伐材の並列配置方向に延びる横行部材を切欠凹部に配置して横行部材と所要の間伐材とを固定し、所要の接続部材に両側の溝を接続する面に対して垂直方向に連結部を突設し、各間伐材の長手方向の中間部に間伐材の並列配置方向に延びる連結部材を配置して連結部に固定した
ことを特徴とするものである。
【０００８】
この構成によれば、間伐材の表面に形成した溝に接続部材を嵌合して相互に接続してなる面構成体において、その溝を形成するのに表面から所定深さに形成するのではなく、当該間伐材に設定した仮想軸心から半径方向に等距離の位置に溝底面が位置するように形成しているので、間伐材に曲がりや太さの変化・ばらつきや表面の凹凸があっても、間伐材の外表面を加工することなく、所定の深さ以上となるよう常に適正に溝を形成することができ、加工工数が少なくて低コストにて構成できるとともに、耐候性の高い木材表面をそのままにして加工しないので耐久性の高い面構成体が得られ、かつ所定幅の接続部材を用いていることで、間伐材の並列配置ピッチが間伐材の形状や太さに影響を受けずに所定値に精度良く規定でき、面構成体を高い寸法精度で管理することができ、建築物に容易にかつ高い信頼性をもって適用することができる。なお、間伐材の外表面に節など、大きく突出している部分がある場合にその突出部を切削除去しても良く、その場合も本発明の技術的範囲に含まれることは云うまでもない。
特に、例えば下端部の土台や上部の梁部材やそれらの間に配置される適宜桟部材などの横行部材に所要の間伐材の切欠凹部にて固定されることで、この横行部材にて各間伐材が強固に結合固定され、かつその間伐材と横行部材にて接続部材が挟圧固定されるので、高い面強度の面構成体が得られ、
間伐材の長手方向の両端部又はその近傍で横行部材にて、またそれらの中間部で連結部材にて接続部材を介して間伐材が連結固定されるので、高い面強度を有しかつ建築物に適用したときに内装や外装の容易な面構成体が得られる。
【０００９】
また、所要の接続部材に、両側の溝を接続する面に対して垂直方向に突出する連結部を設け、間伐材の並列配置方向に延びる連結部材に各接続部材に設けた連結部を固定すると、接続部材を連結部を介して連結部材にて連結することで、面構成体の面強度を連結部材にて確保することができる。また、面構成体にて壁面や床面を構成する場合に、連結部材を壁の内装材又は外装材の取付部材や床の根太材として機能させることができる。
【００１０】
また、接続部材が板材からなり、この接続部材に別部材の連結部を取付固定すると、接続部材が板材であることで、合板などの任意の材料から安価にかつ容易に製造することができ、また連結部が別部材であることで、所要の接続部材の必要箇所にのみ連結部を配置することができ、かつ連結部を金具などの任意の部材にて構成することができるので、連結強度の確保も容易にできる。
【００１１】
また、接続部材が連結部を一体的に設けた断面一様な押し出し成形材から成ると、連結部として別部品が必要でなくかつ量産すると安価に製造することができるので、コスト低下を図ることができる。なお、この接続部材の材質としては、アルミ合金などの金属製でも、木材の粒状物など、安価な粒状材料を充填材として含有した合成樹脂製の押出成形品などを適用でき、特に後者の場合には連結部材を釘打ちにて固定することも可能であるため好適である。
【００１２】
また、各間伐材に、その長手方向の同じ位置に表面からその表面に近い溝の一方の側面の位置に達する切欠凹部を設け、間伐材の並列配置方向に延びる横行部材を切欠凹部に配置し、横行部材と所要の間伐材とを固定すると、例えば下端部の土台や上部の梁部材やそれらの間に配置される適宜桟部材などの横行部材に所要の間伐材が固定されることで、この横行部材にて各間伐材が強固に結合固定され、かつその間伐材と横行部材にて接続部材が挟圧固定されるので、高い面強度の面構成体が得られる。
【００１３】
また、各間伐材の長手方向の両端部又はその近傍に外面からその外面に近い溝の一方の側面の位置に達する切欠凹部を設け、間伐材の並列配置方向に延びる横行部材を切欠凹部に配置して横行部材と所要の間伐材とを固定し、所要の接続部材に両側の溝を接続する面に対して垂直方向に連結部を突設し、各間伐材の長手方向の中間部に間伐材の並列配置方向に延びる連結部材を配置して連結部に固定すると、間伐材の長手方向の両端部又はその近傍で横行部材にて、またそれらの中間部で連結部材にて接続部材を介して間伐材が連結固定されるので、高い面強度を有しかつ建築物に適用したときに内装や外装の容易な面構成体が得られる。
【００１４】
また、以上の間伐材を用いた面構成体にて、壁面と床面と屋根の少なくとも何れか１つを構成することで、耐久性のあるログハウス風建築物を容易に低コストにて建築することができる。
【発明の効果】
【００１５】
本発明によれば、間伐材の表面に形成した溝に接続部材を嵌合して相互に接続してなる面構成体において、その溝を当該間伐材に設定した仮想軸心から半径方向に等距離の位置に溝底面が位置するように形成しているので、間伐材に曲がりや太さの変化・ばらつきや表面の凹凸があっても、間伐材の外表面を加工することなく、常に適正に溝を形成することができ、加工工数が少なくて低コストにて構成できるとともに、耐候性の高い木材表面の加工を行っていないので耐久性の高い面構成体を得ることができ、かつ所定幅の接続部材を用いていることで間伐材の形状や太さに影響を受けずに面構成体を高い寸法精度で管理することができる。特に、例えば下端部の土台や上部の梁部材やそれらの間に配置される適宜桟部材などの横行部材に所要の間伐材の切欠凹部にて固定されることで、この横行部材にて各間伐材が強固に結合固定され、かつその間伐材と横行部材にて接続部材が挟圧固定されるので、高い面強度の面構成体が得られ、間伐材の長手方向の両端部又はその近傍で横行部材にて、またそれらの中間部で連結部材にて接続部材を介して間伐材が連結固定されるので、高い面強度を有しかつ建築物に適用したときに内装や外装の容易な面構成体が得られる。
【発明を実施するための最良の形態】
【００１６】
以下、本発明の間伐材を用いた面構成体を適用したログハウス風建築物の一実施形態について、図１〜図９を参照して説明する。
【００１７】
図１において、１は、基礎２上に建てられているログハウス風の建築物であり、間伐材３を並列配置して構成された面構成体４にてその壁面５及び屋根面６が形成されている。また、壁面５の適所に窓５ａや出入口５ｂが配設されている。
【００１８】
面構成体４は、図２に示すように、並列配置された複数の間伐材３を並列配置するとともに、各間伐材３、３間を帯板状の接続部材７にて接続して構成されている。すなわち、各間伐材３には、その並列方向に沿う直径方向の両側に長手方向全長にわたって溝８が形成され、隣接する間伐材３、３の対向する溝８、８に接続部材７の両側部が嵌合され、並列配置された各間伐材３が接続されている。各間伐材３の溝８は、図３に示すように、溝底面８ａが当該間伐材３に設定した仮想軸心９から半径方向に等しい距離ｄの位置に位置するように形成されている。そのため、間伐材３に曲がりや太さの変化・ばらつきや表面の凹凸があっても溝底面８ａが図３（ａ）に示すようにある所定の深さ以上を満足して常に一定位置に位置しており、したがって幅寸法が一定の接続部材７を適用することで、各間伐材３、３の仮想軸心９間のピッチ間隔Ｐは一定となる。なお、間伐材３の太さには大きなばらつきがあるが、太さに応じて間伐材３をランク付けし、間伐材３のランク毎に溝底面８ａの仮想軸心９からの距離ｄを適宜に設定すれば良い。
【００１９】
所要の接続部材７には、両側の溝７、７を接続する面に対して垂直方向、図２の図示例の板状の接続部材７の場合にはその板面に対して垂直方向に突出する連結部１０が設けられている。この連結部１０が設けられる接続部材７は、全ての接続部材７でも良いが、適当数置きに設けても良い。連結部１０は、図２の図示例では、両端部にねじ部と座を有するボルト状の連結金具１１に構成され、接続部材７に設けた取付穴７ａに一端側のねじ部を挿通して袋ナット１２にて接続部材７に締結固定して構成されている。連結金具１１の他端側のねじ部は、間伐材３の並列配置方向に延びる連結部材１３に形成された固定凹部１３ａ内に貫通し、ナット１４にて連結部材１３に締結固定されている。本実施形態では、連結部材１３は建築物１の室内側に配設されて、内装材１５を取り付けるための支持桟としても機能している。
【００２０】
この実施形態では、間伐材３と接続部材７が建築物１の外壁面を構成しているので、必要に応じて接続部材７と間伐材３の溝８の開口縁との間のコーナー部にシール剤を塗布してより高いシール性能を確保するようにしても良い。一方、間伐材３と接続部材７が建築物１の室内に臨むようにし、接続部材７を建築物１の外面側に配置し、接続部材７に外装材を配置して一般的な外装の建築物１を構成することもできる。
【００２１】
また、図２の図示例では、連結部１０を両端部にねじ部と座を有するボルト状の連結金具１１にて構成した例を示したが、連結部１０の構成はこれに限定されるものではなく、例えば、図４に示すように、ステム１６ａの一端に接続部材７の板面に当接する取付板１６ｂを有し、他端に連結部材１３を嵌合保持するコ字状の受け部１６ｃを有する連結金具１６にて構成し、取付板１６ｂを複数の釘１７ａ等にて接続部材７に固定し、受け部１６ｃに保持した連結部材１３を受け部１６ｃの上片を貫通する釘１７ｂ等で固定するようにしても良い。
【００２２】
また、図５に示すように、接続部材７に連結部１０を一体的に構成しても良く、その場合先端部に連結部材１３を広い面積で受けた状態で固定できるように拡大部１８を形成した断面形状とするのが好ましい。また、その接続部材７は木材等の粒状物を充填材として混合した硬質発泡合成樹脂の押し出し成形品にて構成すると、安価に製造することができるとともにその連結部１０に連結部材１３を釘１８等で固定することができるので好適である。勿論、アルミ合金等の金属材料の押し出し成形品にて構成しても良い。
【００２３】
本実施形態における建築物１の壁面５においては、図６に示すように、面構成体４の下端部が基礎２上に固定設置された横行部材としての土台２０に固定され、面構成体４の上端部又はその近傍が同じく横行部材としての梁部材２１に固定されている。すなわち、面構成体４を構成している各間伐材３には、これら土台２０と梁部材２１の配置位置に、表面からその表面に近い溝８の一方の側面８ｂの位置に達する切欠凹部２２が形成され、この切欠凹部２２に土台２０や梁部材２１が嵌合配置され、かつ全ての若しくは適当間隔置きに設定した所要の間伐材３と、これら土台２０や梁部材２１とが、それらを貫通する締結ボルト２３とナット２４にて締結固定されている。
【００２４】
また、土台２０と梁部材２１との間の上下方向の中間部には、１又は複数の上記連結部材１３（図６では図示を省略）が適当間隔置きに配設され、連結部１０と接続部材１６を介して各間伐材３が連結部材１３に連結固定されている。また、内装材１５が、土台２０の内面上部と梁部材２１の内面に取付けられた支持枠材２１ａの内面との間にわたって配設されるとともに、その間の中間部が上記連結部材１３にて支持されている。土台２０上には、詳細な図示は省略しているが、上記壁面５と同様の面構成体４にて床面２５が構成され、支持枠材２１ａの上面上に適宜構成の天井面２６が配設されている。
【００２５】
建築物１の角部における面構成体４、４同士の接合部においては、図７に示すように、角部に配置される間伐材３に平面視で９０度の角度で一対の溝８が形成され、それぞれに各面構成体４、４の端の接続部材７が嵌合されることで直角に曲がる壁面５が構成されている。なお、角部に配置する間伐材３としては、９０度間隔で一対の溝８が形成されるので、図示の如く径の大きな間伐材３を使用するのが好ましい。
【００２６】
また、壁面５に配設される窓５ａや出入口５ｂにおいては、図８に示すように、その配設位置に窓枠や扉枠を構成する枠体２７が配置されている。枠体２７には、その外周面に間伐材３に形成されている溝８に対応する溝２８が形成されており、その溝２８に接続部材７を嵌合させることで、枠体２７と壁面５を構成している面構成体４とが一体的に結合されている。具体的には、枠体２７の両側の溝２８に対しては隣接する間伐材３の接続部材７が他の間伐材３の場合と同様に嵌合されている。また、枠体２７の上下面に対しては間伐材３の端が当接されるとともに、その間伐材３の端より上下に突出させた接続部材７が枠体２７の上下の溝２８に対して嵌合されている。
【００２７】
また、建築物１の屋根は、図９に示すように、複数の間伐材３を並列配置するとともにそれらの間伐材３、３間を接続部材７にて接続した面構成体４にてその屋根面６が構成されている。この屋根面６は、建築物１の両側の壁面５の上端に配設された根太材２９上に配置されて支持されている。根太材２９は、その下面に形成された溝３０に壁面５の上端から突出させた接続部材７を嵌合させて結合されている。各間伐材３は、根太材２９に対向する部分が接続部材７の下面と同一の面まで切欠かれて、根太材２９が嵌合する嵌合凹部３１が形成され、各間伐材３の上端から根太材２９に達するように釘３２が打ち込まれて各間伐材３が根太材２９に固定されるとともに接続部材７が間伐材３と根太材２９の間に挟圧固定されている。また、屋根面６のシール性を確保するため、接続部材７上には間伐材３の側縁上に重なるようにシール材３３が塗布されている。
【００２８】
以上の構成によれば、間伐材３の表面に溝８を形成するのに表面から所定深さに形成するのではなく、当該間伐材３に設定した仮想軸心９から半径方向に等距離の位置に溝底面８ａが位置するように形成しているので、間伐材３に曲がりや太さの変化・ばらつきや表面の凹凸があっても、間伐材３の外表面を加工することなく、図３（ａ）に示すようにある所定の深さ以上を満足するように常に適正に溝８を形成することができ、加工工数が少なくて低コストにて構成できるとともに、耐候性の高い木材表面をそのままにして表面の加工を行っていないので耐久性が高く、この間伐材３の表面に形成した溝８に接続部材７を嵌合して相互に接続しているので、耐久性の高い面構成体４を少ない加工工数にて安価に得られる。また、所定幅の接続部材７を用いていることで、間伐材３の並列配置ピッチが間伐材３の形状や太さに影響を受けずに所定値に精度良く規定でき、面構成体４を高い寸法精度で管理することができ、建築物１に容易かつ高い信頼性をもって適用することができる。
【００２９】
また、全ての若しくは一部の所要の接続部材７に、両側の溝８を接続する面に対して垂直方向に突出する連結部１０を設け、その連結部１０に間伐材３の並列配置方向に延びる連結部材１３を固定しているので、接続部材７が連結部１０を介して連結部材１３にて連結されることで面構成体４の面強度を連結部材１３にて確保することができる。また、連結部材１３は、建築物１の壁面５や床面などを面構成体４にて構成する場合に、壁の内装材１５や外装材の取付部材や床の根太材として機能させることができる。
【００３０】
また、接続部材７を板材にて構成し、この接続部材７に別部材の連結金具１１、１６を取付固定して連結部１０を構成すると、接続部材７が板材であることで、合板などの任意の材料から安価にかつ容易に製造することができ、また連結部１０が別部材であることで、所要の接続部材７の必要箇所にのみ連結部１０を配置することができ、かつ連結強度の確保も容易にできる。一方、接続部材７を連結部１０を一体的に設けた断面一様な押し出し成形材にて構成すると、連結部１０として別部品が必要なくかつ量産すると安価に製造することができるので、コスト低下を図ることができる。
【００３１】
また、各間伐材３に、その長手方向の同じ位置に表面からその表面に近い溝８の一方の側面８ｂの位置に達する切欠凹部２２を設け、間伐材３の並列配置方向に延びる土台２０や梁部材２１などの横行部材を切欠凹部２２に配置し、この横行部材と所要の間伐材３とを締結ボルト２３とナット２４等にて固定しているので、下端の土台２０や上部の梁部材２１などに所要の間伐材３が固定されることで、これらの横行部材にて各間伐材３が強固に結合固定されるとともに、その間伐材３と横行部材にて接続部材７が挟圧固定されるので、高い面強度の面構成体４が得られる。
【００３２】
また、面構成体４を構成している間伐材３の長手方向の両端部又はその近傍を土台２０や梁部材２１などの横行部材にて固定し、それらの中間部を上記連結部材１３にて連結部１０と接続部材７を介して間伐材３を連結固定していることで、高い面強度を有しかつ建築物１に適用したときに内装や外装の容易な面構成体４が得られる。
【００３３】
以上のように間伐材３を用いて構成した面構成体４にて、壁面５と床面（図示せず）と屋根面６の少なくとも何れか１つを構成しているので、耐久性のあるログハウス風の建築物１を容易に低コストにて建築することができる。
【００３４】
なお、以上の実施形態では、建築物１の壁面５を構成する間伐材３が垂直姿勢で配列されている例を示したが、水平姿勢で配列することもでき、その場合間伐材３の両端は、土台２０や梁部材２１の代わりに垂直な柱材に固定され、柱材が横行部材として機能する。
【００３５】
また、以上の実施形態では、窓５ａなどの枠体２７として外周に溝２８を形成した例を示したが、逆に枠体２７の外周の全周に接続部材７に相当する接続部材を環状に突設し、この接続部材の両側部を両側の間伐材３の溝８に嵌合させるとともに、上下に対向する間伐材３の端部に溝８に対応する溝を形成してこの接続部材を嵌合させても良く、そうすると枠体２７の周囲のシールを容易に確保することができる。また、この枠体構成は屋根面６に配置する天窓の枠体に適用すると、高いシール性を容易に確保することができるので好ましい。
【産業上の利用可能性】
【００３６】
本発明は、間伐材の表面に形成した溝に接続部材を嵌合して相互に接続してなる面構成体において、間伐材に曲がりや太さの変化・ばらつきや表面の凹凸があっても、間伐材の外表面を加工することなく、常に適正に溝を形成することができ、加工工数が少なくて低コストにて構成できるとともに、耐候性の高い木材表面の加工を行っていないので耐久性の高い面構成体を得ることができ、かつ間伐材の形状や太さに影響を受けずに面構成体を高い寸法精度で管理することができるので、ログハウス風の建築物等に好適に適用することができ、間伐材の有効利用を図ることができる。
【図面の簡単な説明】
【００３７】
【図１】本発明の間伐材を用いた面構成体の一実施形態を適用したログハウス風建築物の斜視図。
【図２】同実施形態の面構成体の部分横断平面図。
【図３】同実施形態の面構成体で使用する間伐材を示し、（ａ）は正面図、（ｂ）は（ａ）のＡ−Ａ矢視断面図。
【図４】同実施形態の面構成体の他の構成例を示し、（ａ）は要部の縦断側面図、（ｂ）は要部の正面図。
【図５】同実施形態の面構成体のさらに別の構成例の部分横断平面図。
【図６】同実施形態のログハウス風建築物の壁面構成を示す縦断側面図。
【図７】同実施形態のログハウス風建築物の壁面の角部構成を示す横断平面図。
【図８】同実施形態のログハウス風建築物の窓枠部の構成を示す正面図。
【図９】同実施形態のログハウス風建築物の屋根面構成を示し、（ａ）は部分側面図、（ｂ）は（ａ）のＢ−Ｂ矢視図。
【符号の説明】
【００３８】
１  建築物
３  間伐材
４  面構成体
６  取手カバー
７  接続部材
８  溝
８ａ  溝底面
９  仮想軸心
１０  連結部
１１  連結金具（連結部）
１３  連結部材
１６  連結金具（連結部）
２０  土台（横行部材）
２１  梁部材（横行部材）
２２  切欠凹部
【図１】
0004615579.tif 000002
【図２】
0004615579.tif 000003
【図３】
0004615579.tif 000004
【図４】
0004615579.tif 000005
【図５】
0004615579.tif 000006
【図６】
0004615579.tif 000007
【図７】
0004615579.tif 000008
【図８】
0004615579.tif 000009
【図９】
0004615579.tif 000010